(57)【要約】【課題】除湿剤による吸湿面積の増大を図ることができる除湿剤保持具を提供する。【解決手段】保持具本体２１を、横方向に連設された四つの保持シート２２で構成し、保持シート２２に横方向に延在した一対のスリット３１を延設して両スリット３１間に帯部３２を形成する。保持シート２２の一般部３３から帯部３２を前方へ押し出すことによって一般部３３と帯部３２間に薄肉状の除湿剤２を挿入可能とし、この隙間に除湿剤２を挿入することで、単一の除湿剤２を帯部３２と一般部３３間に挟持して保持するための保持部３４を形成できるように構成する。【選択図】図１
2010125406.tif 000002
【特許請求の範囲】
【請求項１】
薄肉状に形成された除湿剤を保持具本体で保持する除湿剤保持具において、
前記保持具本体をシート体で構成するとともに、該保持具本体に一対のスリットを形成して両スリット間に帯部を設け、該帯部を前記保持具本体の一般部から前方へ突出させた状態で前記帯部と前記一般部との間に前記除湿剤を挟持して保持する保持部を設けたことを特徴とする除湿剤保持具。
【請求項２】
矩形状の前記除湿剤を前記保持部に保持した状態で前記除湿剤の角部が位置する前記一般部の部位に前記角部を挿入する為の切欠部を設けたことを特徴とする請求項１記載の除湿剤保持具。
【請求項３】
前記保持具本体の縁部より延出する舌片を前記帯部の延長上に設けるとともに、該舌片が前記各スリットの延長線を超えた位置でも前記保持具本体と連続するように前記舌片の幅寸法を前記帯部より幅広に設定したことを特徴とする請求項１又は２記載の除湿剤保持具。
【請求項４】
単一の除湿剤を保持する前記保持部を備えた保持シートを複数連設するとともに、各保持シートを、前記保持部を構成する前記スリットの延在方向に並設したことを特徴とする請求項１、２又は３記載の除湿剤保持具。
【発明の詳細な説明】
【技術分野】
【０００１】
本発明は、薄肉状に形成された除湿剤を保持する除湿剤保持具に関する。
【背景技術】
【０００２】
従来、薄肉状に形成された除湿剤を保持する際には、除湿剤保持具が用いられていた（例えば、特許文献１〜４）。
【０００３】
これらの除湿剤保持具は、前記除湿剤を収容する収容部からなり、該収容部の前面には、複数の通気口が開設されている。
【０００４】
これにより、前記除湿剤の吸湿面を前面に向けて前記収容部内に収容することで、前記通気口から湿気を吸収し、除湿できるように構成されている。
【特許文献１】実開平０６−０２１７４２号公報
【特許文献２】特開平１１−３４７３３９号公報
【特許文献３】特開２００１−１９０９２４号公報
【特許文献４】特開２００３−０８００２０号公報
【発明の開示】
【発明が解決しようとする課題】
【０００５】
しかしながら、このような従来の除湿剤保持具にあっては、前記収容部内に収容された除湿剤の吸湿面からの吸湿面積は、前記収容部の前面に開設された通気口によって制限されてしまう。
【０００６】
このとき、前記通気口の開口面積を増大させる構造が考えられるが、前記収容部の剛性を保つために、その開口面積の増大には、限界があった。
【０００７】
本発明は、このような従来の課題に鑑みてなされたものであり、除湿剤による吸湿面積の増大を図ることができる除湿剤保持具を提供することを目的とするものである。
【課題を解決するための手段】
【０００８】
前記課題を解決するために本発明の請求項１の除湿剤保持具にあっては、薄肉状に形成された除湿剤を保持具本体で保持する除湿剤保持具において、前記保持具本体をシート体で構成するとともに、該保持具本体に一対のスリットを形成して両スリット間に帯部を設け、該帯部を前記保持具本体の一般部から前方へ突出させた状態で前記帯部と前記一般部との間に前記除湿剤を挟持して保持する保持部を設けた。
【０００９】
すなわち、薄肉状の除湿剤を保持具本体にセットする際には、該保持具本体のスリット間に形成された帯部を、当該保持具本体の一般部から前方へ突出させて保持部を形成するとともに、前記除湿剤を吸湿面が前方を向くように配置して前記保持部に保持する。
【００１０】
すると、前記除湿剤は、前記保持部を構成する前記帯部と前記一般部との間に挟持された状態で保持される。
【００１１】
このとき、該除湿剤は、前記吸湿面が前方を向くように配置されており、該吸湿面は、前記帯部が掛けられた部分のみが覆われる。
【００１２】
一方、前記保持具本体は、前記帯部として前記除湿剤の前方側へ押し出された部分が開口しており、前記除湿剤の裏面は、この開口部を介して裏側に露出される。
【００１３】
また、請求項２の除湿剤保持具においては、矩形状の前記除湿剤を前記保持部に保持した状態で前記除湿剤の角部が位置する前記一般部の部位に前記角部を挿入する為の切欠部を設けた。
【００１４】
すなわち、前記除湿剤を前記保持部に保持した状態において、当該除湿剤の角部が位置する前記一般部の部位には、前記角部を挿入する為の切欠部が開設されている。
【００１５】
このため、前記帯部で保持された前記除湿剤の角部を前記切欠部に挿入することで、前記除湿剤の前記切欠部側へのズレが防止される。
【００１６】
さらに、請求項３の除湿剤保持具では、前記保持具本体の縁部より延出する舌片を前記帯部の延長上に設けるとともに、該舌片が前記各スリットの延長線を超えた位置でも前記保持具本体と連続するように前記舌片の幅寸法を前記帯部より幅広に設定した。
【００１７】
すなわち、前記保持具本体の縁部からは舌片が延出しており、前記除湿剤を保持した保持具本体を簀の子の下部や壁面に沿った隙間に挿入する際には、前記舌片を摘むことで、保持された前記除湿剤をより奥側に配置することができる。
【００１８】
このとき、前記保持具本体は、前記帯部で前記保持部を形成した際に横長の開口部が前記両スリット間に形成されており、当該開口部側部での剛性が低下しがちである。
【００１９】
しかし、前記舌片は、前記帯部の延長上に設けられ、前記舌片の幅寸法は前記帯部より幅広に設定されており、当該舌片は、前記各スリットの延長線を超えた位置でも前記保持具本体に連設されている。このため、前記開口部によって剛性が低下した開口部の側部に位置する部位は、前記舌片によって補強される。
【００２０】
加えて、請求項４の除湿剤保持具にあっては、単一の除湿剤を保持する前記保持部を備えた保持シートを複数連設するとともに、各保持シートを、前記保持部を構成する前記スリットの延在方向に並設した。
【００２１】
すなわち、単一の除湿剤を保持する前記保持部を備えた保持シートは、複数連設されており、各保持シートが連設されてなる保持具本体は、横長に形成されている。このため、前記保持具本体を長さ方向に移動して、簀の子の下部や壁面に沿った隙間に挿入することで、当該保持具本体に保持された各除湿剤は、より奥側に配置される。
【００２２】
このとき、前記各保持シートは、前記保持部を構成する前記スリットの延在方向に並設されており、当該保持具本体を長さ方向へ移動する際には、前記スリットの延在方向に移動される。
【００２３】
このため、前記スリットの延在方向に対して交差した交差方向へ移動する場合と比較して、前記スリットへの不用意な引っ掛かりが防止される。
【発明の効果】
【００２４】
以上説明したように本発明の請求項１の除湿剤保持具にあっては、前記除湿剤を吸湿面が前方を向くように配置するとともに、前記保持部を構成する前記帯部と前記一般部との間に挟持することで、前記帯部が掛けられた部分のみが覆われた状態において、前記除湿剤を前記保持具本体に保持することができる。
【００２５】
このため、除湿剤を収容した収容部の前面に通気口を設けて吸湿面を露出する構造上、前記通気口の開口面積の増大が前記収容部の剛性を保つ上で自ずと制限されてしまう従来と比較して、外部に露出した吸湿面積の増大を容易に図ることができる。これにより、吸湿性能を高めることができ、除湿効果の向上を図ることができる。
【００２６】
そして、前記保持具本体は、前記帯部として前記除湿剤の前方側へ押し出された部分が開口しており、前記除湿剤の裏面は、この開口部を介して裏側に露出する。このとき、一般的に前記除湿剤の裏面は、内部の薬剤での吸湿状態を観察する為に、透明シート等によって視認可能に構成されており、前記保持具本体を裏返すことで、前記開口部を介して前記除湿剤の裏面から吸湿状態を観察することができる。
【００２７】
したがって、前記帯部を形成するために設けられた前記開口部を覗き窓として有効利用することができる。
【００２８】
また、請求項２の除湿剤保持具では、前記除湿剤を前記保持部に保持した状態において、当該除湿剤の角部が位置する前記一般部の部位に前記角部を挿入する為の切欠部が開設されており、前記帯部で保持された前記除湿剤の角部を前記切欠部に挿入することで、前記除湿剤の前記切欠部側へのズレを防止することができる。
【００２９】
このため、当該保持具本体を起立して壁面に沿った隙間に挿入する場合であっても、前記除湿剤の前記帯部からのズレ落ちを未然に防止することができる。
【００３０】
さらに、請求項３の除湿剤保持具においては、前記保持具本体を簀の子の下部や壁面に沿った隙間に挿入する際に、前記保持具本体の縁部から延出した舌片を摘むことによって、当該保持具本体に保持された前記除湿剤をより奥側に配置することができる。
【００３１】
このとき、前記保持具本体は、前記帯部で前記保持部を形成した際に横長の開口部が前記両スリット間に形成されており、当該開口部側部での剛性が低下しがちである。
【００３２】
しかしながら、前記帯部の延長上に設けられた前記舌片の幅寸法を前記帯部より幅広に設定し、当該舌片を前記各スリットの延長線を超えた位置でも前記保持具本体に連設するように構成したので、前記開口部によって剛性が低下した開口部側部の部位を前記舌片によって補強することができる。
【００３３】
これにより、前記舌片を摘んで前記保持具本体を出し入れする際に、当該保持具本体が前記開口部の側部にて折れ曲がるといった不具合を確実に防止することができる。
【００３４】
加えて、請求項４の除湿剤保持具にあっては、単一の除湿剤を保持した保持シートを複数連設して保持具本体を横長に形成したため、当該保持具本体を長さ方向に移動して簀の子の下部や壁面に沿った隙間に挿入する際には、前記保持具本体に保持された各除湿剤を、より奥側に配置することができる。
【００３５】
このとき、前記各保持シートは、前記保持部を構成する前記スリットの延在方向に並設されており、当該保持具本体を長さ方向へ移動する際には、前記スリットの延在方向に移動することとなる。
【００３６】
このため、前記スリットの延在方向に対して交差方向へ移動する場合と比較して、前記スリットへの不用意な引っ掛かりを防止することができ、前記保持具本体の出し入れをスムーズに行うことができる。
【発明を実施するための最良の形態】
【００３７】
以下、本発明の一の実施の形態を図に従って説明する。
【００３８】
図１は、本実施の形態にかかる除湿剤保持具１を示す図であり、該除湿剤保持具１は、薄肉のシート状に形成された除湿剤２を保持できるように構成されている。
【００３９】
すなわち、前記除湿剤２は、表面を構成する表面シート１１と裏面を構成する裏面シートとによって構成されており、長方形状に形成されている。前記表面シート１１は、水は通さず湿気のみを透過させる透過性を備えており、前記裏面シートは、湿気も水も透過しない非透過性の透明フィルムによって構成されている。
【００４０】
前記表面シート１１と前記裏面シートとは、その周囲部が全周に渡って接合されており、この接合部の内側には、収容空間が形成されている。
【００４１】
この収容空間には、湿気を吸収する顆粒状の塩化カルシウム等の除湿薬剤と、水分を吸収して膨潤する顆粒状の増粘剤が収納されており、当該除湿剤２外部の湿気を前記表面シート１１を介して内部へ取り込み、内部の薬剤が潮解することで湿気を吸湿できるように構成されている。
【００４２】
このとき、前記裏面シートは、透明フィルムで構成されていることから、前記薬剤の溶解状態を当該裏面シート側から観察できるように構成されている。
【００４３】
前記除湿剤保持具１を構成する保持具本体２１は、シート体としての台紙によって形成されており、打ち抜きによって横長の長方形状に形成されている。該保持具本体２１は、横方向に連設された四つの保持シート２２，・・・によって構成されており、各保持シート２２，・・・は、縦長の長方形状に形成されている。各保持シート２２，・・・間には、折曲容易な折曲部２３，・・・が設定されており、図中左側から二番面と三番面の保持シート２２，２２間には、破線の切り込みによって構成された昜切断部２４が設定されている。
【００４４】
各保持シート２２，・・・の上下方向中央部には、各保持シート２２，・・・の並び方向である横方向に延在した一対のスリット３１，３１が離間して平行に延設されており、両スリット３１，３１間には、横長の帯部３２が形成されている。これにより、前記保持シート２２の一般部３３から前記帯部３２の中央部を前方へ突出させるように押し出すことによって、前記一般部３３と前記帯部３２との間に前記除湿剤２を挿入可能な隙間を形成し、この隙間に前記除湿剤２を挿入することで、単一の除湿剤２を前記帯部３２と前記一般部３３との間に挟持して保持するための保持部３４を形成できるように構成されている。
【００４５】
前記各スリット３１，３１は、幅寸法を有した細長の開口部によって構成されており、このスリット３１の幅寸法は、薄肉状の前記除湿剤２を挟持した状態で保持力を発揮できるように幅狭に設定されている。各スリット３１，・・・の中途部には、円形の小穴部４１，・・・が三箇所に設定されており、スリット打ち抜き後に残存した打ち抜き片を除去する為の棒状の抜き歯を前記一般部３３との干渉を防止しつつ挿通できるように構成されている。
【００４６】
また、各保持シート２２，・・・には、矩形状の前記除湿剤２を前記保持部３４に保持した状態において、前記除湿剤２の下側の角部５１，５１が位置する前記一般部３３の部位に切欠部５２，５２が開設されている。各切欠部５２，・・・は、当該保持シート２２の中心部より側方へ向かうに従って斜め上方へ向けて延在した直線部５３と、該直線部５３の両端部を連設する円弧状の円弧部５４との内側に形成されており、前記除湿剤２を前記保持部３４に保持した状態で、当該除湿剤２の前記各角部５１，５１を挿入できるように構成されている。
【００４７】
前記保持具本体２１の左縁及び右縁からは、図２にも示すように、側方に延出する舌片６１が前記帯部３２の延長上に設けられている（右縁部のみ図示）。前記舌片６１の幅寸法６２は、前記帯部３２の幅寸法６３より幅広に設定されており、当該舌片６１が前記各スリット３１の延長線６４，６４を超えた位置でも前記保持具本体２１と連続するように構成されている。
【００４８】
以上の構成にかかる本実施の形態において、薄肉状の除湿剤２を保持具本体２１にセットする際には、該保持具本体２１の各保持シート２２に設けられたスリット３１，３１間の帯部３２を、当該保持具本体２１の一般部３３から前方へ突出させて保持部３４を形成するとともに、前記除湿剤２を、吸湿面を構成する表面シート１１が前方を向くように配置して前記保持部３４に保持する。
【００４９】
すると、前記除湿剤２は、前記保持部３４を構成する前記帯部３２と前記一般部３３との間に挟持された状態で保持される。このとき、前記除湿剤２は、前記吸湿面が前方を向くように配置されており、該吸湿面は、前記帯部３２が掛けられた部分のみが覆われる。
【００５０】
このように、前記帯部３２が掛けられた部分のみを覆った状態で、前記除湿剤２を前記保持具本体２１に保持することができる。このため、前記帯部３２で覆われた部分以外を吸湿面として利用することができる。
【００５１】
したがって、除湿剤を収容した収容部の前面に通気口を設けて吸湿面を露出する構造上、前記通気口の開口面積の増大が前記収容部の剛性を保つ上で自ずと制限されてしまう従来と比較して、外部に露出した吸湿面積の増大を容易に図ることができる。これにより、吸湿性能を高めることができ、除湿効果の向上を図ることができる。
【００５２】
一方、前記保持具本体２１は、前記帯部３２として前記除湿剤２の前方側へ押し出された部分が開口しており、前記除湿剤２の裏面は、この開口部を介して裏側に露出する。
【００５３】
このとき、前記除湿剤の裏面を構形成する裏面シートは、内部の薬剤での吸湿状態を観察する為に透明フィルムによって視認可能の構成されており、前記保持具本体２１を裏返すことで、前記開口部を介して前記除湿剤２の前記裏面シートから吸湿状態を観察することができる。
【００５４】
したがって、前記帯部３２を形成するために設けられた前記開口部を覗き窓として有効に利用することができる。
【００５５】
また、前記除湿剤２を前記保持部３４に保持した状態において、当該除湿剤２の下側の角部５１，５１が位置する前記一般部３３の部位には、前記角部５１，５１を挿入する為の切欠部５２，５２が開設されており、前記帯部３２で保持された前記除湿剤２の前記角部５１，５１を前記切欠部５２，５２に挿入することで、当該除湿剤２の前記切欠部５２，５２側へのズレを防止することができる。
【００５６】
このため、この切欠部５２，５２を下側にして当該保持具本体２１を起立して壁面に沿った隙間に挿入する場合であっても、前記除湿剤２の前記帯部３２からのズレ落ちを未然に防止することができる。
【００５７】
このとき、前記除湿剤２の収容空間内には、湿気を吸収する顆粒状の塩化カルシウム等の除湿薬剤と、水分を吸収して膨潤する顆粒状の増粘剤が収納されており、吸湿後の除湿剤２は、吸湿前の除湿剤２と比較して、膨潤して肉厚となる。すると、当該除湿剤２は、前記保持部３４によって、より確実に保持されることとなる。
【００５８】
したがって、前記保持部３４への除湿剤２セット時には、薄肉状態の除湿剤２を容易にセットすることができ、取り出し時には、除湿剤２が吸湿して重くなっても、除湿剤２が肉厚になることで、前記保持部３４から外れてしまうことが無く、確実に保持することができる。
【００５９】
そして、前記保持具本体２１の左縁及び右縁からは舌片６１が延出しており（右縁のみ図示）、前記除湿剤２を保持した保持具本体２１を簀の子の下部や壁面に沿った隙間に挿入する際には、前記舌片６１を摘んで差し入れることで、保持された前記除湿剤２をより奥側に配置することができる。
【００６０】
このとき、前記保持具本体２１は、前記帯部３２で前記保持部３４を形成した際に横長の開口部が前記両スリット３１，３１間に形成されており、当該開口部側部での剛性が低下しがちである。
【００６１】
しかしながら、前記舌片６１は、前記帯部３２の延長上に設けられ、前記舌片６１の幅寸法６２は前記帯部３２の幅寸法６３より幅広に設定されており、当該舌片６１は、前記各スリット３１，３１の延長線６４，６４を超えた位置でも前記保持具本体２１に連設されている。
【００６２】
このため、前記開口部によって剛性が低下した開口部側部の部位を、前記舌片６１によって補強することができる。これにより、前記舌片６１を摘んで前記保持具本体２１を出し入れする際に、当該保持具本体２１が前記開口部の側部にて折れ曲がるといった不具合を確実に防止することができる。
【００６３】
また、前記保持具本体２１は、単一の除湿剤２を保持する前記保持部３４を備えた保持シート２２が複数連設されてなり、各保持シート２２，・・・が連設されてなる保持具本体２１は、横長に形成されている。このため、前記保持具本体２１を長さ方向に移動して、簀の子の下部や壁面に沿った隙間に挿入することで、当該保持具本体２１に保持された前記各除湿剤２，・・・を、より奥側に配置することができる。
【００６４】
このとき、前記各保持シート２２，・・・は、前記保持部３４，・・・を構成する前記スリット３１，３１の延在方向に並設されており、当該保持具本体２１を長さ方向へ移動する際には、前記スリット３１，３１の延在方向に移動することとなる。
【００６５】
このため、このスリット３１，３１の延在方向に対して交差する交差方向へ移動する場合と比較して、前記スリット３１，３１への不用意な引っ掛かりを防止することができ、前記保持具本体２１の出し入れをスムーズに行うことができる。
【００６６】
そして、本実施の形態で用いた除湿剤２は、引き出しや衣装ケースの中に入れて単独で使用することを目的とした除湿剤２を利用しており、このような除湿剤２を本実施の形態の除湿剤保持具１に保持するだけで、簀の子下や押し入れ等の隙間用として使用することができる。
【００６７】
このため、簀の子下や押し入れ等の隙間用として新たに商品を開発する必要が無く、既存の除湿剤２を有効に利用することができる。
【図面の簡単な説明】
【００６８】
【図１】本発明の一実施の形態を示す図である。
【図２】図１の要部の拡大図である。
【符号の説明】
【００６９】
１    除湿剤保持具
２    除湿剤
２１    保持具本体
２２    保持シート
３１    スリット
３２    帯部
３３    一般部
３４    保持部
５１    角部
５２    切欠部
６１    舌片
６２    幅寸法
６４    延長線
【図１】
2010125406.tif 000003
【図２】
2010125406.tif 000004